【事件の表示】
　上記当事者間の登録第１０８２７８１号商標の登録取消審判事件について、次のとおり審決する。
【結　論】
　本件審判の請求は、成り立たない。
　審判費用は、請求人の負担とする。
【理　由】
第１　本件商標 
　登録第１０８２７８１号商標（以下「本件商標」という。）は、「マッハ３　ハンディレザー」の文字を横書きにしてなり、昭和４６年１０月９日登録出願、第１３類「かみそり」を指定商品として、同４９年８月１９日に設定登録されたものである。その後、同５９年８月２３日、平成６年１０月２８日及び同１６年６月１日の３回にわたり商標権の存続期間の更新登録がされ、また、平成１６年６月２３日に指定商品を第８類「かみそり」とする指定商品の書換登録がされたものである。
　　　　
第２　請求人の主張
　請求人は、本件商標についてその登録を取り消す、審判費用は被請求人の負担とする、との審決を求め、その理由及び答弁に対する弁駁を要旨次のように述べ、証拠方法として、甲第１号証ないし甲第３号証を提出した。
１　請求の理由
　本件商標は、被請求人、専用使用権者又は通常使用権者のいずれもが、本件商標を継続して３年以上日本国内において本件商標の指定商品に使用した事実がない。
　したがって、本件商標は、商標法第５０条第１項の要件を充足し本件商標の登録は、取消されるべきである。
２　答弁に対する弁駁
（１）被請求人は、被請求人の１００％子会社であり、被請求人のトイレタリー事業を扱う株式会社エフティ資生堂（以下「エフティ資生堂」という。）を通常使用権者として、本件商標と社会通念上同一の商標を、請求に係る商品中「レザー」「ハンディレザー」について、本件審判の請求の登録前３年以内に使用している事実があるから本件商標は取消されるべきではないと主張している。
しかし、被請求人の主張は、事実上あるいは理論上誤ったもので到底認めることが出来ない。
（２）被請求人は、本件商標の使用権者であるエフティ資生堂が商標権者である被請求人の１００％出資の連結子会社であり（甲第１号証及び甲第２号）、被請求人はかかる１００％出資会社による本件商標の使用について使用許諾を与えている。したがって、エフティ資生堂が本件商標の通常使用権者である旨述べているが、その主張を裏付けるに足りる証拠は何もない。また、被請求人の挙げる乙第１号証、乙第２号証にその事実を立証するに足りる記載は何もない。
　周知のとおり親子関係会社を明らかにするための連結計算子会社は、他の会社により経営を支配されているものであり、法務省令で定める会社その他の団体をいうものである（商法特例法１条の２第４項）。そして委員会設置会社においては、取締役に指定された執行役に連結計算書類作成義務が課されている（商法特例法２１条の３２第１項）。
　しかしながら、この連結計算書類は乙号証のいずれを見ても全く記載されておらず、被請求人の主張は全く立証されていない。してみると被請求人によるエフティ資生堂に対する使用許諾は何等認められず、商標原簿上その登録が無いことは当然のことである。
（３）乙号証商品カタログは、被請求人のものではなく、資生堂アメニティグッズ株式会社（以下、「資生堂アメニティグッズ」という。）のものであり、これ等商品はいずれも被請求人と関係がないのみならず、乙第３号証第２頁の資生堂アメニティグッズの会社概要、即ち４パラグラフ中の第３パラグラフで「さらに当社（アメニティグッズ株式会社）は“ご利用される方に快適をお届けする”ことをコンセプトに、資生堂製品にかぎらず、ホテルの客室用アメニティーグッズやパウダールーム用の小物・雑貨等も幅広く品揃えしており、皆さまの仕入業務のお役にたてるものと存じます。」（資生堂アメニティグッズの会社概要インターネットにも同様の記載がある。甲第３号証。）と記載している。
　してみると、カタログ掲載の商品は特定性が無いことを被請求人も認めているところで、それは本件における被請求人の主張と明らかに相違するものであり、これ等商品をもって被請求人の製造販売にかかるものということは到底できない。
（４）被請求人は、上記にかかわらず本件商標を付した「【６】（黒丸内に「６」の数字が白抜きで配されている。）８２８５９０　レザー（マッハ３　１枚刃）及び【１３】（黒丸内に「１３」の数字が白抜きで配されている。）８２８９３０　レザー（マッハ　１枚刃）バラ」を業務用化粧品や客室用アメニティグッズを販売する被請求人のグループ企業カタログ商品であり（乙第５号証）、また乙第６号証には、４頁、１２頁、４４頁にＦＴＳレザーマッハの記載があり、更に乙第７号証には、エフティ資生堂レザー、マッハ３、ハンディレザーの記載がある旨指摘しているが、これ等はいずれも資生堂アメニティーグッズの商品としての表示に係るものであり、被請求人の行為によるものでないことが明らかである。
　もし被請求人が法的使用の主張をすることを欲するならば、使用権の設定登録をするか、あるいは共有持分の登録をすれば容易に問題を処理することが出来るにかかわらず、それら手続をしないでこじつけの理由を主張することは妥当でない。
（５）なお、本件商標は、「マッハ３　ハンディレザー」と一連に横書きしたものである。このような記載が被請求人商標として存在しないものであることはいうまでもないところである。
（６）エフティ資生堂から鹿児島共和株式会社等への売上伝票
　ここでの売上伝票は数字で表示した商品のみで、商品自体の記載は何もなされていない。してみると、これ等伝票は数字の取扱いの証拠とはなり得ても、それ以外の何の立証にもなっていないのみならず、取扱商品がいずれの製造販売にかかるものかすら不明であることを証拠上自白しているのであるからそれが何の立証にもなり得ないものである。
　結局、被請求人の主張は理由なく、証拠もまた不十分なものであるので採用に理由ないものである。
　　　　　
第３　被請求人の答弁
　被請求人は、結論と同旨の審決を求めると答弁し、その理由を要旨次のように述べ、証拠方法として、乙第１号証ないし乙第９号証（枝番を含む。）を提出した。
１　以下に述べるとおり、被請求人は、被請求人の１００％子会社であり、被請求人のトイレタリー事業を扱うエフティ資生堂を通常使用権者として、本件商標と社会通念上同一の商標を、請求に係る商品中「レザー」「ハンディレザー」について、本件審判の請求の登録前３年以内に使用している事実がある。
２　本件商標の通常使用権者について
　本件商標の使用者であるエフティ資生堂は、商標権者である被請求人の１００％出資の連結子会社であり（乙第１号証及び乙第２号証）、被請求人は、かかる１００％出資子会社による本件商標の使用について使用許諾を与えている。したがって、エフティ資生堂が本件商標の通常使用権者である。
　なお、被請求人とエフティ資生堂との間で書面による使用許諾契約はないが、取引の経験則上１００％の資本を有する子会社に自己の登録商標が付された商品を販売させるにあたって敢えて書面で使用許諾契約を締結することはないのが通例であり、被請求人もこれに倣ったものである。また、そもそも使用許諾は、商標権者と使用権者の意思表示の合意によって成立し、契約自由の原則により何らの方式も必要としない以上、書面による使用許諾契約が存在しないことは、特に問題とならない。
３　本件商標の使用の事実及び使用の証明
　本件商標の通常使用権者であるエフティ資生堂は、本件商標を付した「レザー」「ハンディレザー」を主に業務用化粧品や客室用アメニティーグッズを販売する被請求人のグループ企業である資生堂アメニティグッズ（乙第３号証）に販売するほか、その他鹿児島共和株式会社（乙第４号証）等の卸売や同じく被請求人のグループ企業である株式会社ザ・ギンザ等に販売している。
　その事実は、以下の乙第５号証ないし乙第９号証より明らかである。
（１）資生堂アメニティグッズ作成の商品カタログ
　乙第５号証及び乙第６号証は、資生堂アメニティグッズが本件商標の付された商品を販売するために使用するカタログの写しであり、乙第５号証は２０００年９月から、乙第６号証は２００３年６月から使用されているものである。
　乙第５号証には、以下の記載がある。
「【６】（黒丸内に「６」の数字が白抜きで配されている。）８２８５９０　 レザー（マッハ３　１枚刃）」
「【１３】（黒丸内に「１３」の数字が白抜きで配されている。）８２８９　３０　 レザー（マッハ３　１枚刃）バラ」
　また、乙第６号証には、以下の記載がある。
　　４頁：【１６】（黒丸内に「１６」の数字が白抜きで配されている。）　Ｒ１０９０１ ＦＴＳレザーマッハ３（Ｈ）ハコ」
　１２頁：「１ヶ函　　Ｒ１０９０１　ＦＴＳレザーマッハ３（Ｈ）
　　　　 　業務用バラ Ｒ１１９０７　ＦＴＳレザーマッハ３（バラ）」
　４４頁：「Ｒ１０９０１　ＦＴＳレザーマッハ３（Ｈ）１ヶ函
            Ｒ１１９０７　ＦＴＳレザーマッハ３　バラ」
　さらに、乙第７号証として、上記カタログで販売されている商品の拡大コピーを提出する。かかる箱の裏面には、以下の記載がある。
　　　　　　　 エフティ資生堂レザー
　　　　　　　　　マッハ３
　　　　　　　 ハンディレザー
　本件商標は、カタカナ「マッハ３　ハンディレザー」を一連で横書きにしてなる商標であるが、乙第７号証に見られる上記のような二段書きでの使用も、本件商標の社会通念上同一性のある使用というべきである。
　なお、乙第５号証及び乙第６号証のカタログ記載の商標のうち、「ＦＴＳ」は通常使用権者である「エフティ資生堂」を表すもの、「レザー」部分はかみそりを表す英語の「ＲＡＺＯＲ」をカタカナ読みしたものである。
　また、上記商品「レザー」「ハンディレザー」は、請求に係る商品「かみそり」に含まれていることは明らかである。
（２）エフティ資生堂から鹿児島共和株式会社等への売上伝票
　乙第８号証は、品番「８２８９３０」又は「８２８５９０」の商品が鹿児島共和株式会社、ダイカ株式会社秋田支店、株式会社ザ・ギンザヘと取引されたことを示すエフティ資生堂の売上伝票である。
　乙第５号証の商品カタログから明らかなとおり、本件商標が付された商品「レザー」「ハンディレザー」の品番は「８２８５９０」もしくは「８２８９３０」であるから、かかる売上伝票より、上記カタログ掲載の各品番に対応する各商品が取引されたことが客観的に明らかである。
　また、売上伝票に記載の日付もそれぞれ「０２０９２５」（２００２．０９．２５）、「０３０１０８」（２００３．１．８）、「０３０４０３」（２００３．４．３）、「０２１０２２」（２００２．１０．２２）、「０３０６１１」（２００３．６．１１）となっており、これらはいずれも本件審判の請求の登録前３年以内のものである。
　なお、乙第５号証のカタログは、乙第６号証のカタログが発行される２００３年６月まで使用されていたものであり、その期間の本件商標が付された商品「レザー」「ハンディレザー」の取引は、かかる品番「８２８５９０」もしくは「８２８９３０」で取引されていたものである。
　また、乙第９号証は、上記取引を示すエフティ資生堂ロジスティクス部作成の売上げ表一覧であり、上記の取引がされていることを示すものである。
　　　
第４　当審の判断
１　乙第１号証及び乙第２号証の記載内容によれば、エフティ資生堂は、議決権の所有割合１００％の被請求人の連結子会社であることが認められる。　また、かかる関係を有する会社間にあって商標の使用許諾をする場合に、黙示ないし口頭等による許諾が行われていることも一般的な実情といい得るところである。
　しかして、前記乙各号証と被請求人の主張を総合すれば、エフティ資生堂は、被請求人から本件商標の使用について許諾を受けた者、通常使用権者と認められるというのが相当である。
　なお、連結子会社について、商法上、連結計算書類の作成義務があるとしても、本件審判において同書類が示されないことにより、前記認定を左右するものとはいえない。
２　乙第３号証ないし乙第９号証によれば、以下の事実が認められる。
（１）乙第３号証は、資生堂アメニティグッズのホームページの写しであるところ、この「会社概要」によれば、同社は被請求人のグループ企業の一であること、同社が業務用化粧品や客室用アメニティーグッズを販売すること、被請求人の製品を取り扱うことが認められ、乙第９号証をも併せみれば、エフティ資生堂の取引先であることが認められる。
　そして、「取り扱い商品」欄の中には、「ＦＴＳレザーマッハ３（Ｈ）１ヶ函」「ＦＴＳレザーマッハ３　バラ」の表示とともに各商品の実物の写真が掲載されている。
（２）乙第５号証は、資生堂アメニティグッズの商品カタログの写しであるところ、その２枚目には、「８２８５９０　レザー（マッハ３　１枚刃）紙箱入」「８２８９３０　レザー（マッハ３　１枚刃）バラ」の記載があり、これに対応した商品の実物の写真が掲載されている。そして、その最下段末尾には「２０００．９」の表示があり、同カタログが２０００年９月に作成されたものと推認される。
（３）乙第６号証は、資生堂アメニティグッズの商品カタログの写しであるところ、その４頁には「ＦＴＳレザーマッハ３（Ｈ）ハコ」の記載とともに、これに対応した商品の実物の写真が掲載されている。また、同１２頁には「ＦＴＳレザーマッハ３（Ｈ）」の記載とその商品実物が掲載されている。さらに、同４４頁には、「ＦＴＳレザーマッハ３（Ｈ）１ヶ函」「ＦＴＳレザーマッハ３　バラ」の記載がある。そして、同カタログの後ろから２枚目の最下段の右端に「０３．６」の表示があり、これより、同カタログが２００３年６月に作成されたものと推認される。
（４）乙第７号証は、商品実物の写しと認められるところ、その商品包装の裏面には、「エフティ資生堂レザー」の文字の下段に「マッハ３」と「＜ハンディレザー＞」とが二段に表示されており、その下に図案化した欧文字とともに「株式会社エフティ資生堂」と「東京都中央区銀座７−５−５」の記載を認めることができる。そして、下段の商品実物の写しは、包装の表面に表された青色系の四角を「Ｈ」状にした図形からして、乙第６号証にいう「Ｈマークシリーズ」の一を示したとみられるものである。
（５）本件商標は、「マッハ３　ハンディレザー」の文字よりなるものである。しかして、その構成中「ハンディレザー」はハンディタイプのレザーを看取させ、商品の品質を表したと理解されるものであるから、自他商品の識別機能を果たす主要部は、「マッハ３」にあるというべきものである。してみると、乙第５号証及び乙第６号証のカタログに示された商標は、本件商標とその要部を共通にするといい得るものである。
　そして、乙第７号証に示された商標は「マッハ３」と「ハンディレザー」とを二段に分けて表示しているが、本件商標と同じ文字をもって構成されるものであり、かつ、称呼を同じにするものであって、さらに、他の文字や図形から独立して自他商品の識別機能を果たし得るものであるから、前記の商標は、社会通念上本件商標と同一の商標と認めて差し支えないものというべきである。　
（６）乙第８号証の１ないし５は、いずもエフティ資生堂の売上伝票の写しである。そして、乙第８号証の１ないし同３は鹿児島共和株式会社との間の売上に係るものであるところ、同伝票の商品コード／品名の欄には「レザーホテルヨウバラ１（Ｎ）」とともに「８２８９３０」の表示があり、この番号は乙第５号証に示された商品の番号と共通の番号であることから、同商品を示したものとみるのが相当である。また、年月日の欄には「０２０９２５」の記載が認められ、２００２年９月２５日を示すものとみるのが相当である。
　さらに、乙第８号証の４及び５をみると、前者は、エフティ資生堂とダイカ株式会社との間の、また、後者は、株式会社ザ・ギンザとの間の売上に係るものであるところ、いずれも、商品コード／品名の欄には「レザーホテルヨウ１マイバ」とともに「８２８５９０」の表示があり、この番号は乙第５号証に示された商品の番号と共通の番号であることから、同商品を示したものとみるのが相当である。また、年月日の欄にはそれぞれ「０２１０２２」「０３０６１１」の記載が認められ、２００２年１０月２２日、２００３年６月１１日を示すものとみるのが相当である。
　そして、上記の事項は、乙第９号証のそれぞれの取引を示したとみられる欄の、「製品コード」「製品名」「得意先名」「年月」の各記載とも合致している。
　してみれば、エフティ資生堂と鹿児島共和株式会社、ダイカ株式会社、及び株式会社ザ・ギンザとの間で、前記年月日に、本件商標と社会通念上同一の商標を付した商品「レザー」の取引がなされたものと推認し得るところである。
（７）上記の使用に係る商品「レザー」は、本件の取消請求に係る指定商品「かみそり」の範疇に属する商品というべきものである。
３　以上のとおり、被請求人は、本件審判の請求の登録前３年以内に日本国内において、本件商標と社会通念上同一と認められる商標を通常使用権者が本件請求に係る指定商品について、本件商標の使用をしていたことを証明したといえるものである。
　したがって、本件商標の登録は、商標法第５０条第１項により、取り消すことはできない。
　よって、結論のとおり審決する。